(57)【要約】【課題】ブラケットから笠木が外れてもパラペットからの笠木の脱落を防止できるようにする。【解決手段】パラペット１に固定したブラケット１０に笠木３を被せるようにして外装し、笠木３の垂直壁５を形成するフランジ部６をブラケット１０の先端側に係止してブラケット１０に笠木３を固定する。これとともに、笠木３とパラペット１とをワイヤ２０で連結固定する。これにより、ブラケット１０から笠木３が外れてもワイヤ２０によって笠木３とパラペット１が連結され、笠木３の脱落を防止できる。【選択図】      図１
2004263437.tif 000002
【特許請求の範囲】
【請求項１】
パラペットの天端部にブラケットを所定間隔をおいて取り付け、このブラケットに笠木を嵌着する笠木の取付構造において、前記パラペットと前記笠木を連結する連結部材を設けたことを特徴とする笠木の取付構造。
【請求項２】
前記連結部材がワイヤで構成され、このワイヤの一端を前記笠木の垂壁部の内面側に固定するとともに、ワイヤの他端を前記パラペットの天端部に固定したことを特徴とする請求項１記載の笠木の取付構造。
【請求項３】
前記ワイヤの一端にスライド体を設け、前記笠木の垂壁部の内面側に前記スライド体を案内する案内部を設け、この案内部に前記スライド体を加締め固定したことを特徴とする請求項２記載の笠木の取付構造。
【請求項４】
前記笠木の垂壁部の下端部にフランジ部を折曲し、このフランジ部に先端にブラケットに係止する肉厚な係止突起を形成し、この係止突起を前記スライド体の案内部としたことを特徴とする請求項３記載の笠木の取付構造。
【発明の詳細な説明】
【０００１】
【発明の属する技術分野】
本発明は、建物の躯体屋上に設けられたパラペットの頂部に取り付けられる笠木の取付構造に関するもので、特にパラペットからの笠木の脱落を防止する笠木の取付構造に関するものである。
【０００２】
【従来の技術】
一般にパラペットの天端部を覆う笠木の取付構造として特許文献１に示すように、パラペットの天端部に所定間隔毎に固定するブラケットを固定し、このブラケットの上方側から被せるようにして外装して笠木を固定する構造が一般的である。すなわち、笠木の垂直壁を外側に開くようにして弾性変形させた後、笠木の垂直壁を弾性復帰させることによって、笠木の垂直壁の先端に形成するフランジ部をブラケット両端部に係止する。この時、ブラケットに形成する受けリブが笠木の内面に突き当たり、ブラケットに笠木が固定される。
【０００３】
【特許文献１】
特開平１１−８１５８６号
【０００４】
【発明が解決しようとする課題】
上記特許文献１に示す笠木は、単に笠木の垂直壁をブラケットの両端に係止してブラケットに固定しているにすぎず、地震などでパラペットが傾いたり台風などの強風によって笠木が変形した場合、笠木の垂直壁の先端に形成するフランジ部がブラケットから外れる虞れがある。このようにブラケットから笠木が外れた場合、笠木に他の固定手段が無いから、パラペットから笠木が脱落する危険があった。
【０００５】
本発明は、このような問題点を解決しようとするもので、仮にブラケットから笠木が外れたとしてもパラペットからの笠木の脱落を防止することができる笠木の取付構造を提供することを目的とする。
【０００６】
【課題を解決するための手段】
請求項１に係る笠木の取付構造は、パラペットの天端部にブラケットを所定間隔をおいて取り付け、このブラケットに笠木を嵌着する笠木において、前記パラペットと前記笠木を連結する連結部材を設けたものである。
【０００７】
これにより、笠木とパラペットとが連結固定され、地震や台風などによってパラペットの変動あるいは笠木の変形などが生じ、ブラケットから笠木が外れたとしても、パラペットからの笠木の脱落を防止することができる。
【０００８】
請求項２に係る笠木の取付構造は、前記連結部材がワイヤで構成され、このワイヤの一端を前記笠木の垂壁部の内面側に固定するとともに、ワイヤの他端を前記パラペットの天端部に固定したものである。
【０００９】
これにより、ワイヤは可撓性を有しているからワイヤによってパラペットと笠木とを連結した状態でブラケットに笠木を固定する際、笠木の取付作業がワイヤによって制約されることなく自由に動かすことが可能となる。
【００１０】
請求項３に係る笠木の取付構造は、前記ワイヤの一端にスライド体を設け、前記笠木の垂壁部の内面側に前記スライド体を案内する案内部を設け、この案内部に前記スライド体を加締め固定したものである。
【００１１】
これにより、笠木の連結位置が最適となる位置となるようワイヤの固定位置を簡単に調整することができる。
【００１２】
請求項４に係る笠木の取付構造は、前記笠木の垂直壁の下端部にフランジ部を折曲し、このフランジ部に先端にブラケットに係止する肉厚な係止突起を形成し、この係止突起を前記スライド体の案内部としたものである。
【００１３】
これにより、笠木にワイヤを案内するために特別な加工が不要である。
【００１４】
【発明の実施の形態】
以下、本発明の笠木の取付構造を添付図面を参照して説明する。図１及び図２は、本発明の第１実施例を示し、同図において、パラペット１の天端部２に装着される笠木３は、アルミニウムを押出成形して水平部４とこの水平部４の両側から垂設する一対の垂直壁５を有して断面コ字型に成型されている。また、前記垂直壁５の下端側にＬ型のフランジ部６を内側に向かって形成し、そのフランジ部６の先端にブラケット１０に引っ掛けて笠木３を固定する肉厚の係止爪７を一体形成している。
【００１５】
前記ブラケット１０は笠木３と同様、アルミニウムの押出成形品であり、前記パラペット１の天端部２に固定される天板部１１と、この天板部１１の両端縁から垂設した一対の側板部１２とを有している。また、前記天板部１１には前記笠木３の内面に接触する一対の受けリブ１５，１５を突設している。
【００１６】
２０は前記パラペット１と、笠木３とを連結する連結部材たる可撓性を有するワイヤであり、前記笠木３のフランジ部６にはワイヤ２０の一端部を固定する取付孔２１が形成され、ワイヤ２０の他端はパラペット１の天端部２にアンカーボルト２５によって固定している。なお、ワイヤ２０の長さは、その固定位置である笠木３の取付孔２１とアンカーボルト２５の螺着位置との間の距離より長く設定されている。
【００１７】
以上のように構成される本実施例の作用・効果について説明する。まず、ワイヤ２０の一端を笠木３のフランジ部６に形成する取付孔２１に通して輪状とし、その端部を加締め部材２９によってワイヤ２０の端部に固定することによってワイヤ２０を笠木３に固定する。そして、ブラケット１０を図示しないアンカーボルトによってパラペット１の天端部２に固定する。そして、笠木３に連結したワイヤ２０の他端をアンカーボルト２５によってパラペット１の天端部２に固定する。こうして笠木３とパラペット１をワイヤ２０によって連結固定した後、笠木３をブラケット１０に被せるようにして外装する。このとき、笠木３の垂直壁５を外側に開くようにして弾性変形させた後、笠木３の垂直壁５を弾性復帰させることによって垂直壁５の下端に形成するフランジ部６をブラケット１０の側板部１２の先端側に引っ掛けて、フランジ部６の先端に形成する係止爪７によってブラケット１０に笠木３を係止する。これにより、ブラケット１０の受けリブ１５の先端側を笠木３の内面に突き当てた状態でブラケット１０に笠木３を固定する。
【００１８】
このように、本実施例においては、笠木３とパラペット１をワイヤ２０によって連結固定することにより、地震や台風などによってパラペット１の変動あるいは笠木３の変形などが生じ、笠木３の垂直壁５に形成するフランジ部６がブラケット１０の側板部１２から外れたとしても、ワイヤ２０によってパラペット１から笠木３が脱落することはない。また、ワイヤ２０は可撓性を有するとともに、ワイヤ２０の長さは、その固定位置である笠木３の取付孔２１とアンカーボルト２５の螺着位置との間の距離より長く設定されているから、ブラケット１０に笠木３を固定する際、ワイヤ２０によってパラペット１と笠木３とを連結した状態でも笠木３の取付作業に支障はない。また、笠木３の取付作業後には、ワイヤ２０が弛んで笠木３の内側に配置され、外側から見えないから、外観的にも体裁が良い。
【００１９】
図３及び図４は本発明の第２実施例を示しており、前記第１実施例と同一機能を有する部分には同一符号を付し、重複する部分の説明を省略し、異なる部分についてのみ説明する。本実施例では、ワイヤ２０の一端にスライド体３０を一体的に固定している。スライド体３０には笠木３のフランジ部６に形成する係止爪７と嵌合する案内溝３１が形成されており、係止爪７に案内溝３１を嵌合することによって、笠木３にワイヤ２０をスライド自在に組み付けている。すなわち、本実施例においては、ブラケット１０に笠木３を係止する係止爪７をスライド体３０の案内部としている。
【００２０】
以上のように構成される本実施例では、ワイヤ２０の一端に固定するスライド体３０の案内溝３１を笠木３のフランジ部６に形成する係止爪７を嵌め合わせ、スライド体３０を係止爪７に沿ってスライドさせる。そして、任意位置までスライドさせてからスライド体３０を上下から加締めてワイヤ２０を笠木３に固定する。そして、ブラケット１０をパラペット１に固定した後、笠木３に連結したワイヤ２０の他端をアンカーボルト２５によってパラペット１の天端部２に固定する。こうして笠木３とパラペット１をワイヤ２０によって連結固定した後、笠木３をブラケット１０に被せるようにして外装する。このとき、笠木３の垂直壁５を外側に開くようにして弾性変形させた後、笠木３の垂直壁５を弾性復帰させることによって垂直壁５の下端に形成するフランジ部６をブラケット１０の側板部１２の先端側に引っ掛けて、フランジ部６の先端に形成する係止爪７によってブラケット１０に笠木３を係止する。これにより、ブラケット１０の受けリブ１５の先端側が笠木３の内面に突き当てた状態でブラケット１０に笠木３が固定される。
【００２１】
したがって、本実施例においては、前記第１実施例と同様、笠木３とパラペット１をワイヤ２０によって連結固定することにより、地震や台風などによってパラペット１の変動あるいは笠木３の変形などが生じ、笠木３の垂直壁５に形成するフランジ部６をブラケット１０の側板部１２の先端側から外れたとしても、ワイヤ２０によってパラペット１から笠木３が脱落することはない。また、ワイヤ２０に案内部たる係止爪７に沿って移動するスライド体３０を設けたことにより、笠木３の任意位置にワイヤ２０を固定することができる。また、笠木３に対してスライド体３０を案内する案内部はブラケット１０に笠木３を係止する係止爪７を兼用しているため特別な加工が不要であるから極めて合理的である。
【００２２】
以上、本発明の実施例について詳述したが、本発明は前記各実施例に限定されるものではなく、本発明の要旨の範囲内で種々の変形実施が可能である。例えば、前記第２実施例では笠木３に形成する係止爪７を案内部としているが、図５に示す本発明の第３実施例のように、笠木３の垂直壁５の内面に案内部として断面円弧状の突起３５を笠木３の長手方向に沿って形成し、スライド体３０に突起３５と係合する案内溝３６を形成したり、図６に示す本発明の第４実施例のように、笠木３の垂直壁５の内面に案内部として円弧状の案内溝３７を有する突状部３８を形成し、スライド体３９を案内溝３７と係合する断面円弧状に形成してワイヤ２０を笠木３に沿ってスライド自在に案内するように構成してもよい。さらに、図７に示す本発明の第５実施例のように、ワイヤ２０の一端に固定具４０を固定し、これをリベット４１によって笠木３に固定するようにしてもよい。また、図８に示す本発明の第６実施例のように、単にパラペット１の側壁にアンカーボルト２５などによってＬ型の固定ブラケット４５を固定し、この固定ブラケット４５と笠木３のフランジ部６とを連結具として固定ボルト４７で固定するようにしてもよい。また、前記実施例では、ワイヤ２０を笠木３の内面側に固定した例を示したが、笠木３の外側に固定してもよい。
【００２３】
【発明の効果】
請求項１に係る笠木の取付構造によれば、パラペットの天端部にブラケットを所定間隔をおいて取り付け、このブラケットに笠木を嵌着する笠木において、前記パラペットと前記笠木を連結する連結部材を設けたものであるから、地震や台風などによってパラペットの変動あるいは笠木の変形などが生じても確実にパラペットからの笠木の脱落を防止することができる。
【００２４】
請求項２に係る笠木の取付構造によれば、前記連結部材がワイヤで構成され、このワイヤの一端を前記笠木の垂壁部の内面側に固定するとともに、ワイヤの他端を前記パラペットの天端部に固定したものであるから、ワイヤが可撓性を有するワイヤによって笠木の取付作業において、ワイヤによって制約されることなく笠木を自由に動かすことが可能となる。
【００２５】
請求項３に係る笠木の取付構造によれば、前記ワイヤの一端にスライド体を設け、前記笠木の垂壁部の内面側に前記スライド体を案内する案内部を設け、この案内部に前記スライド体を加締め固定したものであるから、笠木に連結位置が最適となる位置となるようワイヤの位置を簡単に調整することができる。
【００２６】
請求項４に係る笠木の取付構造によれば、前記笠木の垂壁部の下端部にフランジ部を折曲し、このフランジ部に先端にブラケットに係止する肉厚な係止突起を形成し、この係止突起を前記スライド体の案内部としたものであるから、笠木にワイヤを案内するために特別な加工が不要であり、コスト削減を図ることができる。
【図面の簡単な説明】
【図１】本発明の第１実施例を示す断面図である。
【図２】同上笠木とパラペットの連結状態を示す平断面図である。
【図３】本発明の第２実施例を示す断面図である。
【図４】同上笠木とパラペットの連結状態を示す平断面図である。
【図５】本発明の第３実施例を示す断面図である。
【図６】本発明の第４実施例を示す断面図である。
【図７】本発明の第５実施例を示す断面図である。
【図８】本発明の第６実施例を示す断面図である。
【符号の説明】
１  パラペット
２  天端部
３  笠木
５  垂壁部
６  フランジ部
７  係止爪（案内部）
１０  ブラケット
２０  ワイヤ（連結部材）
３０，３９  スライド体
３５  突起（案内部）
３７  案内溝（案内部）
４７  固定ボルト（連結部材）
【図１】
2004263437.tif 000003
【図２】
2004263437.tif 000004
【図３】
2004263437.tif 000005
【図４】
2004263437.tif 000006
【図５】
2004263437.tif 000007
【図６】
2004263437.tif 000008
【図７】
2004263437.tif 000009
【図８】
2004263437.tif 000010